(57)【要約】      （修正有）【課題】マージコンベヤを２種類の機幅のコンベヤを組合せ、また、パワーガイド中間部にスナブプーリを設置し、ベルトの脱落防止及びベルト幅をベッド幅より広くすることで薄物搬送物の合流も可能としたマージコンベヤを提供する。【解決手段】  複数の搬入コンベヤ１０ａ、１０ｂ、１０ｃより搬入される搬送物を合流整列させて搬出するマージベルトコンベヤにおいて、合流整列部を広幅の第１マージベルトコンベヤ１１と、第１マージベルトコンベヤの下流に第１マージベルトコンベヤより機長が短く、かつ幅狭の第２マージベルトコンベヤ１２とを配置すると共に、第１及び第２マージベルトコンベヤの搬送面にまたがり、かつ平面から見て合流整列部の中心に向かって狭める方向に湾曲しながら垂直面内に走行して搬送物を徐々に合流整列させるエンドレスベルト２２を具えた左右のパワーガイド２０，２０を設ける。【選択図】図１
2007045582.tif 000002
【特許請求の範囲】
【請求項１】
多数の搬入コンベヤより搬入される搬送物を合流整列させて搬出するマージベルトコンベヤにおいて、合流整列部を広幅の第１マージベルトコンベヤと、前記第１マージベルトコンベヤの下流に第１マージベルトコンベヤより機長が短く、かつ幅狭の第２マージベルトコンベヤとを配置すると共に、前記第１及び第２マージベルトコンベヤの搬送面にまたがり、かつ中間部にスナブプーリを設置し平面から見て合流整列部の中心に向かって狭める方向に湾曲しながらマージベルト上の垂直面内に走行して搬送物を徐々に合流整列させるエンドレスベルトを具えた左右のパワーガイドを設けたことを特徴とするマージベルトコンベヤ。
【請求項２】
前記パワーガイド中間部にスナブプーリを設置し平面から見て屈曲をもたすことでベルトの脱落防止すると共に、ベルト幅をパワーガイドベッド幅またはガイドフレームの高さ方向の幅より大きくしてベルト下縁を突出させマージコンベヤのベルトに接触または近接させることにより、搬送物中の薄物搬送物又は封書類が前記パワーガイドベルトとマージベルトとの間に噛み込むことなくスムーズな合流を可能としたことを特徴とする請求項１に記載のマージベルトコンベヤ。
【請求項３】
前記パワーガイドに設けたエンドレスベルトは、垂直走行する下側のベルト幅を広くして前記マージコンベヤベルトに近接させることにより、搬送物中の薄物搬送物又は封書類が前記エンドレスベルト下縁とマージベルトとの間への挟着を起こすことなく合流搬送を可能としている請求項１または２に記載のマージベルトコンベヤ。
【発明の詳細な説明】
【技術分野】
【０００１】
本発明は、多数の搬入コンベヤより搬入される搬送物を合流整列させて搬出するマージベルトコンベヤに関する。
【背景技術】
【０００２】
複数の搬入コンベヤから搬入される多数の搬送物の混送流を広幅のマージコンベヤによって絞りながら１列状に順次１個送りする合流整列コンベが知られている（例えば特許文献１から３）。しかし、これらの文献は、瓶や包装食品等の略一定形状の単品又は混送品を合流させるもので、段ボール、厚手封筒、薄物搬送物などを含む混送流の合流処理を対象としていない。
このため薄物搬送物を含む混送流を合流整列させる際には、通常図９に示すようなマージコンベヤが使用されている。すなわち、放射状に配置した複数の搬入コンベヤ３１、３２、３３の下流側に脚３４、３４に支持された広幅のマージコンベヤ３５を設けると共に、マージコンベヤ３５の下流に整列搬送する幅狭の搬出ベルトコンベヤ４０を設ける。マージコンベヤ３５の上面には合流整列部の中心に向かって狭める方向に斜めに配置され、かつマージコンベヤ上の垂直面内に走行して搬送物を徐々に合流整列させるエンドレスベルトを具えた左右のパワーガイド３６、３６を有している。左右のパワーガイド３６、３６はマージコンベヤ３５の搬送面と干渉しないように、マージコンベヤ３５の上部から２台一組で吊設されており、マージコンベヤ３５の上流側脚３４の外側に立てたポスト３８に駆動ユニット部３７が支持され、下流側脚３４の近くでマージコンベヤ３５の下流端を覆う位置に門形架台３９を建ててパワーガイド３６、３６の先端部を支持している。合流整列部に搬入された混送流としての搬送物はマージコンベヤ３５によって移動する間に斜めに配置された左右のパワーガイド３６、３６によって徐々に合流整列されて１箇ずつ搬出コンベヤ４０に送り出していた。
【０００３】
【特許文献１】特開平６―２４５４６号公報（公報第３頁、左欄第１８〜３０  行、図１）。
【特許文献２】特開平８―６７３３４号公報（公報第３頁、左欄第１６〜３７行、図１）。
【特許文献３】特開２００１−３１５９５５号公報（公報第３頁、右欄第９行〜  第４頁、左欄第１５行、図１）。
【発明の開示】
【発明が解決しようとする課題】
【０００４】
図９に示すように、従来のマージコンベヤは合流ラインへの搬入コンベヤ本数、例えば３本分の機幅で搬送物が幅寄せしうる長さを機長としていたため、コンベヤサイズが大きくなり、コンベヤ重量が大きく設置個所に補強材等が必要となり、完成品での搬送が不可のため現場での組立が不可欠となる。また、マージコンベヤの機幅が大きいため中間での接続、支持ができず、パワーガイドの下流端側にマージコンベヤを跨いで支持するための門形架台が必要となっていた。
本発明はマージコンベヤを２種類の機幅のコンベヤを組合すことで上記の問題を解消し、また、パワーガイド中間部にスナブプーリを設置し平面から見て合流整列部の中心に向かって狭める方向に湾曲しながらマージベルト上の垂直面内に走行して搬送物を徐々に合流整列させることでベルトの脱落を防止し、また、ベルト幅をベッド幅より広くすることで薄物搬物の合流も可能としたマージコンベヤを提供することを目的とする。
【課題を解決するための手段】
【０００５】
上記目的を達成するため、本発明はマージコンベヤを２種類の機幅のコンベヤを組合すことで上記の問題を解消した。すなわち、請求項１は、多数の搬入コンベヤより搬入される搬送物を合流整列させて搬出するマージベルトコンベヤにおいて、合流整列部を広幅の第１マージベルトコンベヤと、前記第１マージベルトコンベヤの下流に第１マージベルトコンベヤより機長が短く、かつ幅狭の第２マージベルトコンベヤとを配置すると共に、前記第１及び第２マージベルトコンベヤの搬送面にまたがり、かつ中間部にスナブプーリを設置し平面から見て合流整列部の中心に向かって狭める方向に湾曲しながらマージベルト上の垂直面内に走行して搬送物を徐々に合流整列させるエンドレスベルトを具えた左右のパワーガイドを設けたことを特徴とする。
請求項２は、前記パワーガイド中間部にスナブプーリを設置し平面から見て屈曲をもたすことでベルトの脱落防止すると共に、ベルト幅をパワーガイドベッド幅またはガイドフレームの高さ方向の幅より大きくしてベルト下縁を突出させマージコンベヤのベルトに接触または近接させることにより、搬送物中の薄物搬送物又は封書類が前記パワーガイドベルトとマージベルトとの間に噛み込むことなくスムーズな合流を可能としたことを特徴とする。
請求項３は、前記パワーガイドに設けたエンドレスベルトは、垂直走行する下側のベルト幅を広くして前記マージコンベヤベルトに近接させることにより、搬送物中の薄物搬送物又は封書類が前記エンドレスベルト下縁とマージベルトとの間への挟着を起こすことなく合流搬送を可能としている。
【発明の効果】
【０００６】
上記のように、本発明はマージコンベヤを２種類の機幅のコンベヤを組み合わすことで大型の門形架台を不要とし、第１マージコンベヤにまたがって配置される２個のパワーガイドともそれぞれユニットとして搬送できるので、工場で製作・調整したのち搬送し、現地では設置だけで完了できるので工期が短縮できる。また、第１及び第２マージベルトコンベヤの搬送面にまたがって配置した左右のパワーガイドは、平面から見て合流整列部の中心に向かって狭める方向に湾曲しながらマージベルト上の垂直面内に走行して搬送物を徐々に合流整列させるエンドレスベルトを具え、かつパワーガイド中間部にスナブプーリを設けて平面から見て合流整列部の中心に向かって湾曲させることでベルトの脱落防止を可能とした。また、パワーガイドベルトの垂直走行する下側のベルト幅を広くしてマージコンベヤベルトに近接させることにより、搬送物中の薄物搬送物又は封書類がエンドレスベルト下縁とマージベルトとの間への挟着を起こすことなく確実に合流搬送を達成できる。
【発明を実施するための最良の形態】
【０００７】
図１は本発明マージベルトコンベヤを備えた搬送ラインの合流部の斜視図、図２は図１の平面図である。
本発明は、多数の搬入コンベヤ１０ａ、１０ｂ、１０ｃより搬入される搬送物を合流整列させて搬出するマージベルトコンベヤであって、合流整列部を広幅の第１マージベルトコンベヤ１１と、第１マージベルトコンベヤの下流に第１マージベルトコンベヤより機長が短く、かつ幅狭の第２マージベルトコンベヤ１２とを配置すると共に、第１及び第２マージベルトコンベヤの搬送面にまたがり、かつ中間部にスナブプーリ２３およびテークアップユニット２４を設置し、平面から見て合流整列部の中心に向かって狭める方向に湾曲しながら垂直面内に走行して搬送物を徐々に合流整列させるエンドレスのガイドベルト２２を具えた左右のパワーガイド２０を設ける。
広幅の第1マージベルトコンベヤ１１は４隅に立てた脚１４に支持され、第２マージベルトコンベヤ１２は図示省略の脚又は架台に支持されている。また、パワーガイド２０は脚１４、１４の側方に立てたポスト１９，１９にパワーガイド２０のフレームの後端と前端近く設けたスタンド２８、２８を載せて固着している。スタンド２８は、フレームの後端と前端で連続していても良く、搬送面の裏側のフレームの一部としても良い。なお、図中、符号１５はテークアップユニット、１６、１８、２５はドライブユニット、１７はテンションプーリである。
【０００８】
図３はパワーガイド２０の拡大平面図である。このパワーガイド２０は分割された多数（図では６個）のフレーム２１を連結し、各連結部にスナブプーリ２３、２３を設けると共に、背後にサポート２７（スタンド２８も兼ねる。）を渡して平面から見て緩やかに湾曲する骨格部を形成し、一端にドライブユニット２５、他端にエンドプーリ２９を取付ける。一連の湾曲フレーム２１の端部間に各フレームを適当に支持するブラケット２６を介してフレーム２７を固着し、フレーム２１からテークアップユニット２４、２４を支持し、サポート２７は、ポスト１９、１９によりフロアに立設するためポストに固着している。このパワーガイド２０のドライブユニット２５とエンドプーリ２９とスナブプーリ２３、２３にガイドベルト２２をかけて、図１，２のようにマージコンベヤ上で向かい合わせて走行させることにより、搬送物中の薄物搬送物又は封書類の挟着を起こすことなく合流搬送を可能としている。
なお、図４は図３のＡ−Ａ線における拡大断面図、図５は図３のＢ−Ｂ線における拡大断面図、図６は図３のＣ−Ｃ線における拡大断面図、図７は図３のＤ−Ｄ線における拡大断面図、図８は図３のＥ−Ｅ線における拡大側面図である。図６中、符号２４ａ及び図７中符号２４ｂはテークアップユニットを構成するテンションプーリである。
【０００９】
上記のように、本発明はマージコンベヤを２種類の機幅のコンベヤを組合すことで上記の問題を解消し、また、パワーガイド中間部にスナブプーリを設置し平面から見て屈曲をもたすことでパワーガイドベルトの脱落防止すると共に、ベルト幅をパワーガイドベッド幅（ガイドフレームの高さ方向の幅）より大きくしてベルト下縁を突出させマージコンベヤのベルトに接触または近接させることにより、薄物搬送物等がパワーガイドベルトとマージベルトとの間に噛み込むことなくスムーズな合流を可能とした。
【図面の簡単な説明】
【００１０】
【図１】本発明マージコンベヤの斜視図。
【図２】図１の平面図。
【図３】取り込みベルトコンベヤにおけるパワーガイドの拡大平面図。
【図４】図３のＡ−Ａ線における拡大側面図。
【図５】図３のＢ−Ｂ線における拡大断面図。
【図６】図３のＣ−Ｃ線における拡大断面図。
【図７】図３のＤ−Ｄ線における拡大断面図。
【図８】図３のＥ−Ｅ線における拡大断面図。
【図９】従来形マージコンベヤの斜視図。
【符号の説明】
【００１１】
１０ａ、１０ｂ、１０ｃ  搬入コンベヤ    １１  第1マージベルトコンベヤ
１２  第２マージベルトコンベヤ      １３  搬出コンベヤ
１４  脚                            １５  テークアップユニット
１６  ドライブユニット              １７  テンションプーリ
１８  ドライブプーリ                １９  ポスト
２０  パワーガイド                  ２１  フレーム
２２  垂直ガイドベルト              ２３  スナブプーリ
２４  テークアップユニット          ２４ａ、２４ｂ  テンションプーリ
２５  ドライブユニット              ２６  アーム
２７  サポート                      ２８  スタンド
２９  エンドプーリ
【図１】
2007045582.tif 000003
【図２】
2007045582.tif 000004
【図３】
2007045582.tif 000005
【図４】
2007045582.tif 000006
【図５】
2007045582.tif 000007
【図６】
2007045582.tif 000008
【図７】
2007045582.tif 000009
【図８】
2007045582.tif 000010
【図９】
2007045582.tif 000011